(57)【要約】【課題】バススピーカを内蔵した情報処理装置において、低音振動によるドライブへの影響を低減させること。【解決手段】情報処理装置は、筐体と、バススピーカ部と、ディスクドライブ部とを有する。筐体は、互いに対向する２面をそれぞれ構成する第１の筐体部及び第２の筐体部を有する。バススピーカ部は、前記第１の筐体部に支持される。第１のドライブ部は、前記第２の筐体部に支持され、第１の記録媒体に対する情報のアクセスを行う。上記構成によれば、バススピーカ部の振動が第１のドライブ部に到達するまでに、第１の筐体部及び第２の筐体部を介することとなるので、バススピーカ部から第１のドライブ部までの距離を実質的に大きくとることができる。すなわち、第１のドライブ部に対するバススピーカ部の振動の影響を抑制することが可能となる。【選択図】図５
2010062913.tif 000002
【特許請求の範囲】
【請求項１】
互いに対向する２面をそれぞれ構成する第１の筐体部及び第２の筐体部を有する筐体と、
前記第１の筐体部に支持されるバススピーカ部と、
前記第２の筐体部に支持され、第１の記録媒体に対する情報のアクセスを行う第１のドライブ部と
を具備する情報処理装置。
【請求項２】
請求項１に記載の情報処理装置であって、
前記第１のドライブ部の上位の制御回路を含むプリント基板と、
前記第１のドライブ部と前記プリント基板とを電気的に接続する第１のフレキシブルプリント基板と
をさらに具備する情報処理装置。
【請求項３】
請求項２に記載の情報処理装置であって、
前記バススピーカ部は、振動板が装着され、内部に空間を有するスピーカ筐体と、前記スピーカ筐体に設けられたポート用の第１の開口とを有し、
前記第１の筐体部は、前記第１の開口に対向する第２の開口を有する
情報処理装置。
【請求項４】
請求項３に記載の情報処理装置であって、
前記第１のドライブ部は、光ディスクに対する情報のアクセスを行う
情報処理装置。
【請求項５】
請求項４に記載の情報処理装置であって、
前記バススピーカ部に対して前記第１のドライブ部よりも前記面に沿った方向で離間した位置に配置され、第２の記録媒体に対する情報のアクセスを行う第２のドライブ部
をさらに具備する情報処理装置。
【請求項６】
請求項５に記載の情報処理装置であって、
前記第２の筐体部に支持され、前記第２のドライブ部を前記プリント基板に電気的に接続するコネクタ部
をさらに具備する情報処理装置。
【請求項７】
請求項６に記載の情報処理装置であって、
前記コネクタ部と前記プリント基板との間に設けられ、第３の記録媒体に対する情報のアクセスを行う第３のドライブ部を収容可能な収容部をさらに具備し、
前記コネクタ部と前記プリント基板とが前記収容部に沿って配置された第２のフレキシブルプリント基板を通じて電気的に接続されている
情報処理装置。
【請求項８】
請求項７に記載の情報処理装置であって、
前記バススピーカが支持される領域の周囲は、前記第１の筐体部と前記第２の筐体部との連結を排除する禁止領域である
情報処理装置。
【請求項９】
請求項８に記載の情報処理装置であって、
前記バススピーカ部は、第１の弾性部材を介して前記第１の筐体部に対して隙間が設けられるように支持され、
前記第１のドライブ部は、前記第１の弾性部材を介して前記第２の筐体部に対して隙間が設けられるように支持され、
前記コネクタ部は、前記第１の弾性部材を介して前記第２の筐体部に対して隙間が設けられるように支持される
情報処理装置。
【請求項１０】
請求項９に記載の情報処理装置であって、
前記バススピーカ部及び前記第１のドライブ部はそれぞれ係合部を有し、
前記第１の弾性部材は、軸方向に貫通孔を有し、周方向に凹部を有する筒形状であり、
前記係合部は、前記第１の弾性部材の凹部に係合される
情報処理装置。
【請求項１１】
請求項１０に記載の情報処理装置であって、
前記情報処理装置に電力を供給するためのバッテリをさらに具備し、
前記バッテリは、第２の弾性部材により前記筐体に支持される
情報処理装置。
【発明の詳細な説明】
【技術分野】
【０００１】
本発明は、バススピーカを内蔵した情報処理装置に関する。
【背景技術】
【０００２】
近年、例えばノート型パーソナルコンピュータ（以下、ＰＣという。）やディスクドライブ内蔵テレビ等の情報処理装置において、高音質化の要求に鑑み、低音域の音を発生可能なバススピーカが内蔵された情報処理装置が提案されている（例えば、特許文献１参照。）。
【０００３】
一般に、ディスクを高速で回転させてヘッドで情報の読み書きを行うディスクドライブは、振動に弱いという難点がある。このため、低音を発生させるときにディスクドライブに振動が伝達すると、情報を誤記録や誤再生するおそれがあり、ひいてはディスクドライブ自体が破損するおそれがある。そこで、低音振動がディスクドライブへ伝達されにくい情報処理装置が要求されている。
【０００４】
また、例えば薄型化が要求されるディスクドライブ内蔵テレビや小型化が要求されるノート型ＰＣ等の情報処理装置においては、スピーカとディスクドライブとが比較的近距離に配置されることが多い。このため、このような情報処理装置はディスクドライブが低音域の音振動の影響を受けやすい構成となっており、低音振動の影響の低減が強く要求されている。
【０００５】
上記要求に鑑み、例えば、特許文献１に記載されたハードディスクドライブ内蔵テレビは、シャーシにスピーカが支持され、ハードディスクドライブが連続気泡体からなる防振部材を介してこのシャーシに支持されている。スピーカにより発生された低音は、振動としてシャーシを伝播し、この振動は防振部材に吸収される。これにより、振動によるハードディスクドライブへの影響を低減している。
【０００６】
【特許文献１】特開２００７−３００２８１号公報（段落[００１５]、図３）
【発明の開示】
【発明が解決しようとする課題】
【０００７】
しかしながら、特許文献１に記載されたハードディスクドライブ内蔵テレビにおいては、防振部材が設けられており、この分部品点数が増加してしまう。
【０００８】
以上のような事情に鑑み、本発明の目的は、バススピーカを内蔵した情報処理装置であって、部品点数を増加させることなく低音振動によるドライブへの影響を低減させることが可能な情報処理装置を提供することにある。
【課題を解決するための手段】
【０００９】
上記目的を達成するため、本発明に係る情報処理装置は、筐体と、バススピーカ部と、ディスクドライブ部とを有する。筐体は、互いに対向する２面をそれぞれ構成する第１の筐体部及び第２の筐体部を有する。バススピーカ部は、前記第１の筐体部に支持される。第１のドライブ部は、前記第２の筐体部に支持され、第１の記録媒体に対する情報のアクセスを行う。
【００１０】
本発明によれば、振動源であるバススピーカ部が第１の筐体部に支持され、第１のドライブ部が第２の筐体部に支持される。これにより、バススピーカ部の振動が第１のドライブ部に到達するまでに、第１の筐体部及び第２の筐体部を介することとなるので、バススピーカ部から第１のドライブ部までの距離を実質的に大きくとることができる。すなわち、第１のドライブ部に対するバススピーカ部の振動の影響を抑制することが可能となり、振動の影響による第１の記録媒体の破損のおそれを低減させることができる。
【００１１】
本発明において、情報処理装置は、前記第１のドライブ部の上位の制御回路を含むプリント基板と、前記第１のドライブ部と前記プリント基板とを電気的に接続する第１のフレキシブルプリント基板とをさらに具備する。
【００１２】
本発明によれば、第１のドライブ部とプリント基板とが第１のフレキシブルプリント基板により接続される。これにより、バススピーカ部の振動に伴って生じるプリント基板の振動が、第１のドライブ部へ伝達することを防止することができる。
【００１３】
本発明において、前記バススピーカ部は、振動板が装着され、内部に空間を有するスピーカ筐体と、前記スピーカ筐体に設けられたポート用の第１の開口とを有する。前記第１の筐体部は、前記第１の開口に対向する第２の開口を有する。
【００１４】
本発明によれば、振動板による振動が、ダクトとしての空間を介してポート用の第１の開口から放出される。振動は、第１の開口から低音域の音として放出され、第２の開口を介して第１の筐体部の外部へと放出される。このように振動を低音域の音として放出することで、第１のドライブ部に対するバススピーカ部の振動の影響をさらに抑制することが可能となり、振動の影響による第１の記録媒体の破損のおそれを低減させることができる。
【００１５】
本発明において、前記第１のドライブ部は、光ディスクに対する情報のアクセスを行う。
【００１６】
すなわち、前記第１のドライブ部は、光ディスクドライブ部である。
【００１７】
本発明において、情報処理装置は、前記バススピーカ部に対して前記第１のドライブ部よりも前記面に沿った方向で離間した位置に配置され、第２の記録媒体に対する情報のアクセスを行う第２のドライブ部をさらに具備する。
【００１８】
本発明によれば、第２のドライブ部は、第１のドライブ部すなわち光ディスクドライブ部よりも面に沿った方向で離間した位置に配置される。例えば、バススピーカ部と、第１のドライブ部と、第２のドライブ部とがこの順に隣り合うように配置される場合を想定する。このとき、第２のドライブ部は、バススピーカ部に対して、光ディスクドライブ部のサイズ分離間した位置に配置される。
【００１９】
本発明において、情報処理装置は、プリント基板と、コネクタ部とを更に具備する。プリント基板は、前記第２のドライブ部の上位の制御回路を含む。コネクタ部は、前記第２の筐体部に支持され、前記第２のドライブ部を前記プリント基板に電気的に接続する。
【００２０】
本発明によれば、コネクタ部は第２の筐体部に支持される。これにより、バススピーカ部の振動がコネクタ部に到達するまでに、第１の筐体部及び第２の筐体部を介することとなるので、バススピーカ部からコネクタ部までの距離を実質的に大きくとることができる。すなわち、コネクタ部に対するバススピーカ部の振動の影響を抑制することが可能となり、振動の影響によるコネクタピンの接続不良の発生のおそれを低減させることができる。
【００２１】
本発明において、情報処理装置は、前記コネクタ部と前記プリント基板との間に設けられ、第３の記録媒体に対する情報のアクセスを行う第３のドライブ部を収容可能な収容部をさらに具備する。前記コネクタ部と前記プリント基板とが前記収容部に沿って配置された第２のフレキシブルプリント基板を通じて電気的に接続されている。
【００２２】
本発明によれば、コネクタ部とプリント基板との間に収容部が設けられ、第３のドライブ部を収容可能である。コネクタ部とプリント基板とは収容部の分だけ互いに離間しているが、第２のフレキシブルプリント基板を設けることで電気的接続が可能となる。さらに、コネクタ部とプリント基板とが第２のフレキシブルプリント基板により接続される。これにより、バススピーカ部の振動に伴って生じるプリント基板の振動が、コネクタ部を介して第２のドライブ部及び第３のドライブ部へ伝達することを防止することができる。
【００２３】
本発明において、前記バススピーカが支持される領域の周囲は、前記第１の筐体部と前記第２の筐体部との連結を排除する禁止領域である。
【００２４】
本発明によれば、バススピーカが支持される領域の周囲では、振動板からの振動が、第１の筐体部と第２の筐体部との連結を介して、第１の筐体部から第２の筐体部へと伝達することが妨げられる。これにより、第１のドライブ部、第２のドライブ部及び第３のドライブ部に対するバススピーカ部の振動の影響を抑制することが可能となる。
【００２５】
本発明において、前記バススピーカ部は、第１の弾性部材を介して前記第１の筐体部に対して隙間が設けられるように支持される。前記第１のドライブ部は、前記第１の弾性部材を介して前記第２の筐体部に対して隙間が設けられるように支持される。前記コネクタ部は、前記第１の弾性部材を介して前記第２の筐体部に対して隙間が設けられるように支持される。
【００２６】
本発明によれば、第１の弾性部材がバススピーカ部からの振動を吸収可能である。これにより、バススピーカ部からの振動の拡散を抑制するとともに、第１のドライブ部への振動の到達を抑制することができる。さらに、バススピーカ部は第１の筐体部に対して隙間が設けられるように支持されるため、第１の筐体部への振動の直接的な伝達が妨げられる。同様に、第１のドライブ部においても、第１のドライブ部への第２の筐体部からの振動の伝達が抑制される。これにより、振動の影響による第１の記録媒体の破損のおそれを低減させることができる。同様に、コネクタ部においても、コネクタ部への第２の筐体部からの振動の伝達が抑制される。これにより、振動の影響によるコネクタピンの接続不良の発生のおそれを低減させることができる。
【００２７】
本発明において、前記バススピーカ部及び前記第１のドライブ部はそれぞれ係合部を有する。前記第１の弾性部材は、軸方向に貫通孔を有し、周方向に凹部を有する筒形状である。前記係合部は、前記第１の弾性部材の凹部に係合される。
【００２８】
本発明によれば、第１の弾性部材の凹部にバススピーカ部及び第１のドライブ部の係合部が係合されるため、省スペース化が図られる。
【００２９】
本発明において、情報処理装置は、前記情報処理装置に電力を供給するためのバッテリをさらに具備する。前記バッテリは、第２の弾性部材により前記筐体に支持される。
【００３０】
本発明によれば、バッテリが例えばバススピーカ部近傍に配置される場合であっても、バッテリは第２の弾性部材により支持されるため、振動の影響を受けにくくなる。
【発明の効果】
【００３１】
以上のように、本発明に係る情報処理装置によれば、部品点数を増加させることなく低音振動によるドライブへの影響を低減させることが可能となる。
【発明を実施するための最良の形態】
【００３２】
以下、本発明の実施形態を図面に基づき説明する。
【００３３】
［ノート型パーソナルコンピュータの構成］
図１は、本発明の一実施形態に係るノート型パーソナルコンピュータ（ＰＣ）の開いた状態を示す斜視図である。図２は、図１に示すＰＣの閉じた状態を示す斜視図であり、ＰＣを上方から見た図である。図３は、図２に示すＰＣを示す斜視図であり、ＰＣを下方から見た図である。図４は、図３に示すＰＣの内部構造図であり、ＰＣを下方から見た図である。図５は、ＰＣの主要部品の配置を示すを示す断面概略図である。
【００３４】
図１及び図２に示すように、ＰＣ１００は、本体部１１０と、表示部１２０と、本体部１１０と表示部１２０とを連結するヒンジ１３０とを備える。表示部１２０は、ヒンジ１３０を介して本体部１１０に対して開閉（折り畳み）可能である。
【００３５】
図４に示すように、ＰＣ１００の本体部１１０は、内部にシステムボード２００と、光ディスクドライブ３００と、ハードディスクドライブ４００と、バススピーカ５００とを備える。本体部１１０は、冷却ファン６００と、スピーカ６５０と、これらを収容する筐体７００とをさらに備える。本体部１１０は、バッテリ９００をさらに備える。
【００３６】
システムボード２００（プリント基板）の表面と裏面にはＣＰＵ（Ｃｅｎｔｒａｌ  Ｐｒｏｃｅｓｓｉｎｇ  Ｕｎｉｔ）やメインメモリ、各種ドライブ用の制御回路などの電子部品が実装されている。
【００３７】
光ディスクドライブ３００は、内部に図示しない光ディスク収納部を有し、この光ディスク収納部に収納された光ディスクに対して情報の読み書きを行う。光ディスクドライブ３００は、例えばブルーレイディスクドライブである。光ディスクドライブ３００は、可撓性を有するフレキシブルプリント基板３２０を介してシステムボード２００に電気的に接続される。
【００３８】
ハードディスクドライブ４００は、内部に図示しない磁気ディスクを有し、この磁気ディスクに対して情報の読み書きを行う。ハードディスクドライブ４００は、可撓性を有するフレキシブルプリント基板８１０が設けられたハードディスクドライブコネクタ８００を介してシステムボード２００に電気的に接続される。ハードディスクドライブ４００と、システムボード２００との間には収容部８２０が設けられている。すなわち、フレキシブルプリント基板８１０は、収容部８２０に沿って配置されている。
【００３９】
収容部８２０はさらに別のドライブ８４０を収容可能であるが、詳しくは後述する。このドライブ８４０も、ハードディスクドライブ４００と同様に、可撓性を有するフレキシブルプリント基板８４１が設けられたドライブコネクタ８４２を介してシステムボード２００に電気的に接続される。ハードディスクドライブコネクタ８００及びドライブコネクタ８４２は、例えば同様のコネクタであり、後述するハードディスクドライブコネクタ取付け用ブラケット８３０によって支持されている。
【００４０】
バススピーカ５００は、例えばバス・レフレックス型スピーカであり、一般的なＰＣ内蔵スピーカでは発生させることができない例えば１００Ｈｚ以下の低音域を発生可能である。バススピーカ５００は、振動板５１０が設けられ、内部に空間を有するバススピーカ筐体５２０と、バススピーカ筐体５２０に設けられたポート用開口５３０（第１の開口）とを有する。
【００４１】
振動板５１０は、バススピーカ筐体５２０内の空気振動を増幅させ、低音域の音として外部に放出する振動源である。一方、空気振動の一部は、バススピーカ筐体５２０の内部空間を通過し、低音域の音としてポート用開口５３０からも放出される。ここで、バススピーカ筐体５２０の内部空間は、ダクトとしての役割を果たしている。
【００４２】
図５に示すように、バススピーカ５００は、光ディスクドライブ３００近傍に配置される。ハードディスクドライブ４００は、バススピーカ５００に対して光ディスクドライブ３００よりもディスク面に沿った方向で離間した位置に配置される。具体的には、例えば、ヒンジ１３０等が設けられた本体部１１０奥側からタッチパッド７１３等が設けられた本体部１１０手前側にかけて、バススピーカ５００、光ディスクドライブ３００、ハードディスクドライブ４００の順に配置されている。
【００４３】
冷却ファン６００は、システムボード２００に実装されたＣＰＵや、その他の発熱素子を冷却する。
【００４４】
スピーカ６５０は、一般的なＰＣ内蔵スピーカであり、バススピーカ５００が発生可能な低音域外の音を発生可能である。
【００４５】
バッテリ９００は、ＰＣ１００に電源を供給するためのバッテリであり、筐体７００から取り外し可能である。バッテリ９００は、バススピーカ５００の近傍に配置されているため、バススピーカ５００の振動を受けやすい。この振動の影響を抑えるために、バッテリ９００と筐体７００との間に弾性部材９１０（第２の弾性部材）を介挿することで、弾性部材９１０を介してバッテリ９００が支持されている。
【００４６】
筐体７００は、トップケース７１０とボトムケース７２０とを備える。図３に示すように、筐体７００の例えば側面には、複数のインターフェース７３０が設けられている。例えば、ＵＳＢ（Ｕｎｉｖｅｒｓａｌ  Ｓｅｒｉａｌ  Ｂｕｓ）コネクタ、外部ディスプレイ接続コネクタ、ＩＥＥＥ１３９４端子（例えば、ｉ．Ｌｉｎｋ（登録商標）端子）、ＣＦ（Ｃｏｍｐａｃｔ  Ｆｌａｓｈ（登録商標））スロット等が設けられている。
【００４７】
トップケース７１０は、その表面にキーボード７１９、テンキー７１２、タッチパッド７１３等の入力部と、非接触ＩＣ（Ｉｎｔｅｇｒａｔｅｄ  Ｃｉｒｃｕｉｔ）カード（例えば、ＦｅｌｉＣａ（登録商標））のアンテナ７１４等が設けられている。なお、本明細書において、筐体７００内におけるボトムケース７２０側を「第１の筐体部」と呼び、トップケース７１０側を「第２の筐体部」と呼ぶことがある。
【００４８】
ボトムケース７２０は、その表面にバススピーカ開口７２１と、ダクト開放穴７２２と、ドライブ扉７３２とが設けられている。ボトムケース７２０表面には、ボトムケース７２０とトップケース７１０とを締結するための螺子７２３が露出している。
【００４９】
バススピーカ開口７２１は、バススピーカ５００の振動板５１０に対応する位置に位置する。振動板５１０からバススピーカ筐体５２０外部に放出された低音域の音は、バススピーカ開口７２１を介して筐体７００外部に放出される。
【００５０】
ダクト開放穴７２２（第２の開口）は、バススピーカ５００に設けられたポート用開口５３０に対向するように設けられた貫通孔である。ポート用開口５３０からバススピーカ筐体５２０外部に放出された低音域の音は、ダクト開放穴７２２から筐体７００外部に放出される。
【００５１】
ドライブ扉７３２は、ボトムケース７２０に設けられたハードディスクドライブ４００と収容部８２０に対向するよう位置する、開閉可能な扉部材である。ドライブ扉７３２を開いた状態で、ハードディスクドライブ４００と、収容部８２０に収容されたドライブ８４０とを筐体７００から取り外し、ボトムケース７２０を露出させることができる。すなわち、ドライブ扉７３２が設けられた領域においては、ドライブ扉７３２が筐体表面に露出し、その内部にはボトムケース７２０が対向するよう設けられる。ドライブ扉７３２とボトムケース７２０との間にハードディスクドライブ４００及び収容部８２０が設けられる構造となっている。
【００５２】
以上のように構成されたＰＣ１００の本体部１１０における各部材の取付け構造について、さらに詳細に説明する。
【００５３】
［バススピーカの支持構造］
図６は、バススピーカ５００を筐体７００のボトムケース７２０に取付けた様子を示す概略図である。図７は、バススピーカ５００を示す斜視図である。図８は、バススピーカ５００の取付けに使用するゴムブッシュを示す斜視図である。図１５は、バススピーカ５００にゴムブッシュが取り付けられた様子を示す斜視図である。
【００５４】
図６及び図１５に示すように、バススピーカ５００は、螺子５４０と、ゴムブッシュ５５０（第１の弾性部材）とを介して、筐体７００のボトムケース７２０に設けられ、中央に開口７２４を有する円筒状の突出部７２５に固定される。
【００５５】
具体的には、図７に示すように、バススピーカ５００は、その側面の例えば３箇所に、略Ｃ字形の係合部５６０を有する。図８に示すように、ゴムブッシュ５５０は、軸方向に貫通孔５５１を有し、周方向に凹部５５２を有する円筒形状である。バススピーカ５００の係合部５６０は、ゴムブッシュ５５０の凹部５５２に係合される。係合部５６０が係合されたゴムブッシュ５５０は、ゴムブッシュ５５０の貫通孔５５１と突出部７２５の開口７２４が連通可能となるようにボトムケース７２０の突出部７２５に配置される。ゴムブッシュ５５０の貫通孔５５１、係合部５６０及び突出部７２５の開口７２４を介して螺子５６１により螺子止めを行うことで、バススピーカ５００が筐体７００のボトムケース７２０に支持される。ここで、突出部７２５の高さ及びゴムブッシュ５５０の厚みにより、バススピーカ５００とボトムケース７２０との間に隙間が設けられる。
【００５６】
バススピーカ５００をゴムブッシュ５５０を介してボトムケース７２０に支持することで、バススピーカ５００の振動をゴムブッシュ５５０が吸収することが可能となる。なお、バススピーカ５００からの振動は、全てがゴムブッシュ５５０に吸収されるわけではなく、一部は螺子５６１及び突出部７２５を介してボトムケース７２０に伝達される。
【００５７】
さらに、バススピーカ５００とボトムケース７２０との間に隙間を設けることで、バススピーカ５００の振動が直接ボトムケース７２０に伝達することを防いでいる。これにより、さらにバススピーカ５００の振動が筐体７００のボトムケース７２０に対して伝わりにくい構造となっている。
【００５８】
ボトムケース７２０とトップケース７１０との締結に用いられる螺子７２３は、螺子５６１から所定の距離をあけて設けられる。すなわち、上述のようにバススピーカ５００からの振動は螺子５６１及び突出部７２５を介してボトムケース７２０に伝達される。仮に螺子７２３が螺子５６１の近傍にあるとすると、螺子５６１を介してボトムケース７２０に伝達された振動が、螺子７２３を介してトップケース７１０へとさらに伝達される。そうすると、トップケース７１０に設けられた部材に振動の影響が及ぶおそれが生じる。したがって、振動の影響を抑えるために、螺子７２３は、螺子５６１から所定の距離をあけて設けられる。例えば、螺子５６１を中心に半径６０ｍｍの領域を禁止領域とし、この禁止領域では螺子７２３の設置が排除される。これにより、バススピーカ５００からの振動が、螺子７２３を介してボトムケース７２０からトップケース７１０へと伝達することが妨げられる。
【００５９】
なお、図６は概略図であり、バススピーカ５００のボトムケース７２０底面に沿った方向の長さなど、実際の形状から多少変更して描いている。同様に、以下の説明において、「概略図」としたものは、実際の形状からサイズ等を多少変更して描いている。
【００６０】
また、ゴムブッシュ５５０は、上述したバススピーカ５００の取付けだけでなく、後述する光ディスクドライブ３００及びハードディスクドライブコネクタ８００の取付けにも使用される部品である。
【００６１】
［光ディスクドライブの支持構造］
図９は、光ディスクドライブ３００が筐体７００のトップケース７１０側に支持される様子を示す概略図である。
【００６２】
図９に示すように、筐体７００のトップケース７１０には、トップケース補強板７１１が設けられる。トップケース補強板７１１は、第１の筐体部の一部である。なお、トップケース７１０にトップケース補強板７１１が設けられた状態を、「トップケース７１０側」と呼ぶことがある。トップケース補強板７１１には、中央に開口７１５を有する円筒状の突出部７１６が設けられている。
【００６３】
光ディスクドライブ３００の側面には、複数の光ディスクドライブ固定用ブラケット３１０が螺子止めにより固定される。なお、光ディスクドライブ３００に光ディスクドライブ固定用ブラケット３１０が固定された状態にある構造物を、「光ディスクドライブ部」（第１のドライブ部）と呼ぶことがある。
【００６４】
光ディスクドライブ固定用ブラケット３１０には、光ディスクドライブ部をトップケース補強板７１１に対して螺子止めを行うための係合部３１１が設けられている。係合部３１１は、例えば、係合部５６０と同様の略Ｃ字形状を有する。係合部３１１は、ゴムブッシュ５５０の凹部５５２に係合される。係合部３１１が係合されたゴムブッシュ５５０は、ゴムブッシュ５５０の貫通孔５５１と突出部７１６の開口７１５が連通可能となるようにトップケース補強板７１１の突出部７１６に配置される。ゴムブッシュ５５０の貫通孔５５１、係合部３１１及び突出部７１６の開口７１５を介して螺子３１２により螺子止めを行うことで、光ディスクドライブ３００が筐体７００のトップケース７１０に設けられたトップケース補強板７１１に支持される。ここで、突出部７１６の高さ及びゴムブッシュ５５０のの厚みにより、光ディスクドライブ３００とトップケース補強板７１１との間に隙間が設けられる。
【００６５】
上述のように、バススピーカ５００はボトムケース７２０に支持される一方、光ディスクドライブ３００はトップケース７１０側に支持される。これにより、図５に矢印Ａで示すように、ボトムケース７２０に伝達されたバススピーカ５００の振動は、ボトムケース７２０を経て筐体７００側面にまず伝達され、次にトップケース７１０側へ伝達され、光ディスクドライブ３００へと伝達される。すなわち、これにより、振動が光ディスクドライブ３００に到達するまでに、ボトムケース７２０、トップケース７１０及びトップケース補強板７１１を介することとなるので、バススピーカ５００から光ディスクドライブ３００までの距離を実質的に大きくとることができる。これにより、振動を減衰させることが可能となる。  光ディスクドライブ３００は、フレキシブルプリント基板３２０を介してシステムボード２００と接続される。これにより、トップケース７１０側に伝達した振動が、システムボード２００にさらに伝達し、この振動がシステムボード２００から直接光ディスクドライブ３００に到達することを低減可能である。
【００６６】
ここで、光ディスクドライブ３００をゴムブッシュ５５０を介してトップケース補強板７１１に支持することで、バススピーカ５００から伝達する振動をゴムブッシュ５５０が吸収することが可能となる。光ディスクドライブ３００とトップケース補強板７１１との間に隙間を設けることで、バススピーカ５００から伝達する振動が直接光ディスクドライブ３００に伝達することを防いでいる。これにより、光ディスクドライブ３００に対してバススピーカ５００から伝達する振動がさらに伝わりにくい構造となっている。
【００６７】
また、上述のように光ディスクドライブ３００はトップケース７１０側に支持され、ボトムケース７２０には接触していない。このため、矢印Ｂで示すように、ボトムケース７２０の光ディスクドライブ３００に対向する領域を振動が伝達する場合であっても光ディスクドライブ３００に対する影響が少ない。
【００６８】
以上のように、本実施形態によれば、光ディスクドライブ３００とバススピーカ５００とを筐体７００の対向するトップケース７１０とボトムケース７２０とにそれぞれ配置する。これにより、例えば図５に示すように光ディスクドライブ３００とバススピーカ５００とが略隣り合うような場合であっても、光ディスクドライブ３００に対するバススピーカ５００の振動の影響を極力抑えることが可能となる。これにより、光ディスクドライブ３００の内部に設けられた光ディスクが振動による衝撃により破損されるおそれが低減される。
【００６９】
［ハードディスクドライブコネクタ取付け用ブラケットの支持構造］
図１０は、ハードディスクドライブコネクタ８００を取付けるためのハードディスクドライブコネクタ取付け用ブラケット８３０が筐体７００のトップケース７１０側に支持される様子を示す概略図である。
【００７０】
図１０に示すように、筐体７００のトップケース７１０には、中央に開口７１７を有する円筒状の突出部７１８が設けられている。
【００７１】
ハードディスクドライブコネクタ取付け用ブラケット８３０は、係合部８３１が例えば両端に設けられたベース部８３２と、ベース部から略垂直に折り曲げられた主コネクタ取付け部８３３及び副コネクタ取付け部８３４とを有する。
【００７２】
係合部８３１は、例えば係合部５６０と同様の略Ｃ字形状を有する。主コネクタ取付け部８３３には、螺子止め用の開口８３５とボス穴８３６とが設けられている。副コネクタ取付け部８３４には、螺子止め用の開口８３７が設けられている。主コネクタ取付け部８３３が位置する平面から副コネクタ取付け部８３４までの距離は、主コネクタ取付け部８３３に設けられたボス穴８３６の軸方向の長さと略等しい。開口８３５、８３７及びボス穴８３６は、ハードディスクドライブコネクタ取付け用ブラケット８３０に対してハードディスクドライブコネクタ８００及びドライブコネクタ８４２を螺子止めするためのものである。なお、本明細書において、ハードディスクドライブコネクタ取付け用ブラケット８３０に対してハードディスクドライブコネクタ８００及びドライブコネクタ８４２を装着した状態にある構造物を、「コネクタ部」と呼ぶことがある。
【００７３】
図４に示すように、主コネクタ取付け部８３３のボス穴８３６が突出していない側の面には、開口８３５を介して、ハードディスクドライブコネクタ８００がハードディスクドライブコネクタ取付け用ブラケット８３０に対して螺子止めされる。一方、反対側の面には、主コネクタ取付け部のボス穴８３６と副コネクタ取付け部８３４の開口８３７とを介して、ドライブコネクタ８４２がハードディスクドライブコネクタ取付け用ブラケット８３０に対して螺子止めされる。
【００７４】
ハードディスクドライブコネクタ取付け用ブラケット８３０の係合部８３１は、ゴムブッシュ５５０の凹部５５２に係合される。係合部８３１が係合されたゴムブッシュ５５０は、ゴムブッシュ５５０の貫通孔５５１と突出部７１８の開口７１７が連通可能となるようにトップケース７１０の突出部７１８に配置される。ゴムブッシュ５５０の貫通孔５５１、係合部８３１及び突出部７１８の開口７１７を介して螺子８３８により螺子止めを行うことで、ハードディスクドライブコネクタ取付け用ブラケット８３０が筐体７００のトップケース７１０に支持される。ここで、突出部７１８の高さ及びゴムブッシュ５５０の厚みにより、ハードディスクドライブコネクタ取付け用ブラケット８３０とトップケース７１０との間に隙間が設けられる。
【００７５】
上述のように、バススピーカ５００はボトムケース７２０に支持される一方、ハードディスクドライブコネクタ取付け用ブラケット８３０はトップケース７１０に支持される。また、ボトムケース７２０に伝達されたバススピーカ５００の振動は、ボトムケース７２０を経て筐体７００の側面にまず伝達され、次にトップケース７１０へ伝達される。すなわち、バススピーカ５００からハードディスクドライブコネクタ８００及びドライブコネクタ８４２までの距離を実質的に大きくすることができる。このように、距離を実質的に大きくとることで、振動を減衰させることが可能となる。
【００７６】
ここで、ハードディスクドライブコネクタ取付け用ブラケット８３０をゴムブッシュ５５０を介してトップケース７１０に支持することで、バススピーカ５００から伝達する振動をゴムブッシュ５５０が吸収することが可能となる。ハードディスクドライブコネクタ取付け用ブラケット８３０とトップケース７１０との間に隙間を設けることで、バススピーカ５００から伝達する振動が直接ハードディスクドライブコネクタ８００及びドライブコネクタ８４２に伝達することを防いでいる。これにより、ハードディスクドライブコネクタ８００及びドライブコネクタ８４２に対してバススピーカ５００から伝達する振動が伝わりにくい構造となっている。
【００７７】
［ハードディスクドライブブラケットの支持構造］
図１１は、ハードディスクドライブ４００に、ハードディスクドライブ４００をボトムケース７２０に支持するためのハードディスクドライブブラケット８５０を取付けた様子を示す４面図であり、具体的には平面図及び３方向からの側面図である。図１２は、図１１（ｂ）に示すＡ−Ａ断面から見たハードディスクドライブ４００にハードディスクドライブブラケット８５０を取付けた様子を示す断面図である。
【００７８】
ハードディスクドライブ４００には、ハードディスクドライブ４００を上面を除く５面方向から支持するように形成されたハードディスクドライブブラケット８５０が装着される。
【００７９】
図１１（ｃ）に示すように、ハードディスクドライブブラケット８５０の一側面８５５には、略Ｕ字形状を有する取付け部８６４が設けられる。取付け部８６４は、ハードディスクドライブ部を、ボトムケース７２０に対して螺子止めするための部材である。側面８５５には、さらに複数例えば２つの開口８５６が設けられる。開口８５６は、ハードディスクドライブブラケット８５０をハードディスクドライブ４００に設けられた螺子孔に対して螺子８６１により螺子止めするためのものである。
【００８０】
図１１（ａ）に示すように、側面８５５に対向する側面８５１には、ハードディスクドライブブラケット８５０をハードディスクドライブ４００に設けられた螺子孔に対して螺子止めするための複数例えば２つの取付け部８５２が設けられる。取付け部８５２は、略凹字状に切り欠かれた切欠き部８５３を有し、この略凹字の内側に残された板金には開口８５４が設けられている。開口８５４は、ハードディスクドライブブラケット８５０をハードディスクドライブ４００に対して螺子８６１により螺子止めするための開口である。開口８５４は、例えば側面８５５に設けられた開口８５６に対向する位置に設けられる。螺子止め用の開口８５４を切欠き部８５３の内側に設けることで、所望の弾性を得ることができる。これにより、ハードディスクドライブブラケット８５０をハードディスクドライブ４００に対して螺子止めする際に各部材が破損するおそれを低減することができる。すなわち、側面８５５側に弾性を持たせない一方、側面８５１側に弾性を持たせることで、ハードディスクドライブブラケット８５０とハードディスクドライブ４００との共振を低減させることができる。
【００８１】
上述のように、開口８５４、８５６を介してハードディスクドライブブラケット８５０をハードディスクドライブ４００に対して螺子止めを行うことで、ハードディスクドライブブラケット８５０がハードディスクドライブ４００に装着される。なお、本明細書において、ハードディスクドライブ４００にハードディスクドライブブラケット８５０が装着された状態にある構造物を、「ハードディスクドライブ部」（第２のドライブ部）と呼ぶことがある。
【００８２】
図１１（ａ）〜図１１（ｃ）に示すように、側面８５７には、開口８６２を有する取付け部８５８が設けられている。取付け部８５８は、ハードディスクドライブ部を、ボトムケース７２０に対して螺子止めするための部材である。
【００８３】
図１１（ａ）〜図１１（ｄ）に示すように、側面８５７に対向する側面８５９には、開口８６３を有する取付け部８６０が設けられている。取付け部８６０は、ハードディスクドライブ部を、ボトムケース７２０側に対して螺子止めするための部材である。図１１（ｄ）に示すように、ハードディスクドライブ４００における側面８５９側には、ハードディスクドライブコネクタ８００と電気的に接続されるために用いられるコネクタ４１０が設けられている。
【００８４】
図１２に示すように、螺子８６１は、開口８５４、８５６及び取付け部８６４に対して直接螺子止めされる。すなわち、開口８５４、８５６及び取付け部８６４にゴムブッシュ５５０のような弾性部材が装着されていない。ハードディスクドライブ４００は、バススピーカ５００に対して光ディスクドライブ３００のサイズ分だけ離間した位置に配置しているため振動の影響を受けにくいので、本実施形態においてはゴムブッシュ５５０等の弾性部材を使用していない。しかしながら、振動の影響をさらに低減させるために、螺子止めにゴムブッシュ５５０等の弾性部材を使用してもよい。
【００８５】
ハードディスクドライブ部は、取付け部８５８、８６０の開口８６２、８６３及び取付け部８６４を介してボトムケース７２０に対して螺子止めされる。具体的には、ボトムケース７２０の、トップケース７１０と対向しない側の面に対して螺子止めされる。すなわち、ハードディスクドライブ部は、ボトムケース７２０から吊り下げられるように支持される。ボトムケース７２０に支持されたハードディスクドライブ部を覆うように、ドライブ扉７３２が設けられる。なお、ハードディスクドライブ部のボトムケース７２０に対する螺子止めにおいても、上述の理由によりゴムブッシュ５５０等の弾性部材を使用していない。しかしながら、振動の影響をさらに低減させるために、螺子止めにゴムブッシュ５５０等の弾性部材を使用してもよい。
【００８６】
上述のように、ハードディスクドライブ４００は、バススピーカ５００に対して光ディスクドライブ３００のサイズ分だけ離間した位置に配置しているため振動の影響を受けにくい。このため、本実施形態においては、組み立て時における利便性を考慮してハードディスクドライブ部をボトムケース７２０に取り付けた。しかしながら、ハードディスクドライブ４００に対する振動の影響をさらに低減させるため、ハードディスクドライブ部をトップケース７１０に支持する構造としてもよい。
【００８７】
コネクタ部とシステムボード２００とがフレキシブルプリント基板８１０により接続される。これにより、バススピーカ５００の振動に伴って生じるシステムボード２００の振動が、コネクタ部を介してハードディスクドライブ４００へ伝達することを防止することができる。
【００８８】
［収容部へのドライブの収容］
図１３は、ＰＣ１００の内部構造図であり、収容部８２０にドライブ８４０が設けられた状態を示す。図１４は、ＰＣ１００の底面斜視図であり、収容部８２０にドライブ８４０が設けられ、ドライブ扉７３２が取り外された状態を示す。
【００８９】
図１３に示すように、収容部８２０には、ドライブ８４０が収容可能である。本実施形態において、ドライブ８４０は、ハードディスクドライブ４００と同形状のハードディスクドライブであり、ハードディスクドライブブラケット８５０を使用してボトムケース７２０に対して支持されている。ドライブ８４０には、図１１に示すようにハードディスクドライブブラケット８５０が装着される。なお、本明細書において、ドライブ８４０にハードディスクドライブブラケット８５０が装着された状態にある構造物を、「ドライブ部」（第３のドライブ部）と呼ぶことがある。
【００９０】
ハードディスクドライブ部とドライブ部とは、ハードディスクドライブブラケット８５０の側面８５９同士がハードディスクドライブコネクタ取付け用ブラケット８３０を介して対向するように配置される。上述のように、ハードディスクドライブ４００にはハードディスクドライブコネクタ８００が電気的に接続される。同様に、ドライブ８４０にもドライブコネクタ８４２が電気的に接続される。
【００９１】
図１４に示すように、収容部８２０にハードディスクドライブ４００と同形状のドライブ８４０を収容した場合、ドライブ扉７３２を取り外したときにハードディスクドライブ４００とドライブ８４０とがちょうど露出するように設計されている。
【００９２】
なお、本実施形態においてはドライブ８４０をハードディスクドライブとしたが、これに限定されず、例えばＳＳＤ（Ｓｏｌｉｄ  Ｓｔａｔｅ  Ｄｒｉｖｅ）でもよい。ＳＳＤは、光ディスクドライブやハードディスクドライブと異なりディスクを有さないため、振動に強いという利点がある。ドライブ８４０をＳＳＤとする場合、ドライブコネクタ８４２もＳＳＤに適したコネクタとして設計すればよい。
【００９３】
また、薄型のＳＳＤを使用する場合、複数例えば２つのＳＳＤを互いに重ね合わせるようにして収容部８２０に収容してもよい。この場合、ＳＳＤに適したドライブコネクタ８４２を複数設けるとともに、フレキシブルプリント基板８４１も複数設ければよい。
【００９４】
上述の構造により、本実施形態に係るバススピーカ内蔵ＰＣによれば、低音振動によるドライブ等の部品への影響を低減させることが可能となる。
【００９５】
本発明に係る実施形態は、以上説明した実施形態に限定されず、他の種々の実施形態が考えられる。
【００９６】
本実施形態では、情報処理装置としてノート型ＰＣを例に挙げた。しかし、これに限られず、デスクトップ型ＰＣ及び液晶と本体が一体的に構成された一体型ＰＣ（Ａｌｌ  ｉｎ  Ｏｎｅ  ＰＣ）等でもよい。
【図面の簡単な説明】
【００９７】
【図１】本発明の一実施形態に係るノート型パーソナルコンピュータ（ＰＣ）の開いた状態を示す斜視図である。
【図２】図１に示すＰＣの閉じた状態を示す斜視図であり、ＰＣを上方から見た図である。
【図３】図２に示すＰＣを示す斜視図であり、ＰＣを下方から見た図である。
【図４】図３に示すＰＣの内部構造図であり、ＰＣを下方から見た図である。
【図５】図１に示すＰＣの主要部品の配置を示す概略図である。
【図６】バススピーカを筐体のボトムケースに取付けた様子を示す概略図である。
【図７】バススピーカを示す斜視図である。
【図８】バススピーカの取付けに使用するゴムブッシュを示す斜視図である。
【図９】光ディスクドライブが筐体のトップケース側に支持される様子を示す概略図である。
【図１０】ハードディスクドライブコネクタ取付け用ブラケットが筐体のトップケース側に支持される様子を示す概略図である。
【図１１】ハードディスクドライブにハードディスクドライブブラケットを取付けた様子を示す４面図であり、具体的には平面図及び３方向からの側面図である。
【図１２】図１１に示すＡ−Ａ断面から見たハードディスクドライブにハードディスクドライブブラケットを取付けた様子を示す断面図である。
【図１３】ＰＣの内部構造図であり、収容部にドライブが設けられた状態を示す。
【図１４】ＰＣの底面斜視図であり、収容部にドライブが設けられ、ドライブ扉が取り外された状態を示す。
【図１５】バススピーカにゴムブッシュが取り付けられた様子を示す斜視図である。
【符号の説明】
【００９８】
１００…ＰＣ
１１０…本体部
１２０…表示部
１３０…ヒンジ
２００…システムボード
３００…光ディスクドライブ
３１０…光ディスクドライブ固定用ブラケット
３２０、８１０、８４１…フレキシブルプリント基板
４００…ハードディスクドライブ
５００…バススピーカ
５１０…振動板
５２０…バススピーカ筐体
５３０…ポート用開口
５５０…ゴムブッシュ
６００…冷却ファン
６５０…スピーカ
７００…筐体
７１０…トップケース
７１１…トップケース補強板
７２０…ボトムケース
７２１…バススピーカ開口
７２２…ダクト開放穴
７３２…ドライブ扉
８００…ハードディスクドライブコネクタ
８２０…収容部
８３０…ハードディスクドライブコネクタ取付け用ブラケット
８４０…ドライブ
８４２…ドライブコネクタ
８５０…ハードディスクドライブブラケット
８５１…側面
９００…バッテリ
９１０…弾性部材
【図１】
2010062913.tif 000003
【図２】
2010062913.tif 000004
【図３】
2010062913.tif 000005
【図４】
2010062913.tif 000006
【図５】
2010062913.tif 000007
【図６】
2010062913.tif 000008
【図７】
2010062913.tif 000009
【図８】
2010062913.tif 000010
【図９】
2010062913.tif 000011
【図１０】
2010062913.tif 000012
【図１１】
2010062913.tif 000013
【図１２】
2010062913.tif 000014
【図１３】
2010062913.tif 000015
【図１４】
2010062913.tif 000016
【図１５】
2010062913.tif 000017